(57)【要約】【課題】複数の表示パネルを接合して形成された大型画面において、表示パネルどうしの継目が観察者に認識されることを低減し、高品質な画像を得られる画像表示装置を提供すること。【解決手段】少なくとも２つの表示パネル１０１ａ〜１０１ｅを配列して画像を表示する画像表示装置１００において、表示パネル１０１ａ〜１０１ｅは、複数の画素３０５を有する画像表示部２２０を有し、隣接している表示パネルどうしは、それぞれの表示パネルの周辺部２１０のみを重ね合わせて配置する。【選択図】      図３
2005017738.tif 000002
【特許請求の範囲】
【請求項１】
少なくとも２つの表示パネルを配列して画像を表示する画像表示装置において、
前記表示パネルは、複数の画素を有する画像表示部を有し、
隣接している前記表示パネルどうしは、それぞれの前記表示パネルの周辺部のみを重ね合わせて配置されていることを特徴とする画像表示装置。
【請求項２】
前記周辺部は、前記画素が形成されていない非表示部であることを特徴とする請求項１に記載の画像表示装置。
【請求項３】
隣接している前記表示パネルのうち、観察者から遠い側の前記表示パネルは、さらに、前記画素からの光を射出させる面に硝子基板を有することを特徴とする請求項１又は２に記載の画像表示装置。
【請求項４】
前記硝子基板は、所定の屈折率を有する硝子基板からなることを特徴とする請求項３に記載の画像表示装置。
【請求項５】
前記非表示部は、光学的に透明な部材からなることを特徴とする請求項１〜４のいずれか一項に記載の画像表示装置。
【請求項６】
前記表示パネルは、さらに、隣接している前記表示パネルどうしを重ね合わせた領域の近傍に、前記画素からの光の光路を補正する光学補正部を有することを特徴とする請求項１〜５のいずれか一項に記載の画像表示装置。
【請求項７】
前記画素は、所定の間隔で配置され、
前記周辺部は、前記非表示部と、前記非表示部に隣接する前記画素とからなり、
隣接している前記表示パネルのうち一の前記表示パネルにおいて前記非表示部と隣接して設けられている前記画素と、他の前記表示パネルにおいて前記非表示部と隣接して設けられている前記画素との間隔は、前記所定の間隔と略等しいことを特徴とする請求項５に記載の画像表示装置。
【請求項８】
３つ以上の前記表示パネルが、一方向のみに配列して設けられていることを特徴とする請求項１〜７のいずれか一項に記載の画像表示装置。
【請求項９】
２つ以上の前記表示パネルが、それぞれ略直交する二方向に配列して設けられていることを特徴とする請求項１〜７のいずれか一項に記載の画像表示装置。
【請求項１０】
前記表示パネルは、液晶表示パネルであって、
前記液晶表示パネルへ照明光を供給する光源をさらに有することを特徴とする請求項１〜９のいずれか一項に記載の画像表示装置。
【請求項１１】
前記液晶表示パネルは、第１の硝子基板と、前記第１の硝子基板より薄い厚みを有する第２の硝子基板と、前記第１の硝子基板と前記第２の硝子基板との間に液晶層とを有し、
少なくとも２つの前記液晶表示パネルは、それぞれ前記第２の硝子基板どうしを対向させて配列していることを特徴とする請求項１０に記載の画像表示装置。
【請求項１２】
前記表示パネルは、有機エレクトロルミネッセンス・パネル又は無機エレクトロルミネッセンス・パネルであることを特徴とする請求項１〜９のいずれか一項に記載の画像表示装置。
【請求項１３】
隣接して設けられている前記表示パネルのうちの一の前記表示パネルは、第１の硝子基板と、前記第１の硝子基板より薄い厚みを有する第２の硝子基板と、前記第１の硝子基板と前記第２の硝子基板との間に設けられ、前記第２の硝子基板の方向へ光を射出させる画素とを有し、他の前記表示パネルは、第３の硝子基板と、前記第３の硝子基板より薄い厚みを有する第４の硝子基板と、前記第３の硝子基板と前記第４の硝子基板との間に設けられ、前記第３の硝子基板の方向へ光を射出させる画素とを有し、
隣接して設けられている前記表示パネルは、前記第２の硝子基板と、前記第４の硝子基板とを対向させて配列していることを特徴とする請求項１２に記載の画像表示装置。
【発明の詳細な説明】
【０００１】
【発明の属する技術分野】
本発明は、画像表示装置、特に複数の画像表示パネルを接合して大型画面を得る画像表示装置に関する。
【０００２】
【従来の技術】
画像表示装置として、例えば、液晶表示パネルや、有機又は無機のエレクトロルミネッセンス（以下、「ＥＬ」という。）などの平面表示パネルが知られている。そして、近年、大型画面の画像表示装置に対するニーズが増加している。ここで、大型かつ高精細な液晶表示パネルの製造は、その生産性や、開口率、表示を均一にする点において困難がある。また、大型のＥＬ表示パネルの製造は、機械的な強度の点、及び電極の抵抗の増大に伴って駆動電流を高める必要がある点等において困難がある。このため、画面を大型化するための有力な方法として、ユニット化された表示パネルをタイル状に複数配列することが挙げられる。複数の表示パネルを配列して一つの大型画面を構成する技術は、例えば、以下の特許文献１〜４に提案されている。
【０００３】
【特許文献１】
特開平５−１８８８７３号公報
【特許文献２】
特開平１０−２０２７０号公報
【特許文献３】
特開２００１−９２３８９号公報
【特許文献４】
特開２００２−３７２９２８号公報
【０００４】
【発明が解決しようとする課題】
表示パネルは、画素が形成されている領域の周囲に、画素が形成されていない非表示領域を有する。非表示領域は、画素を駆動するための回路等を有することから、所定の面積以下の領域とすることが困難である。このため、複数の表示パネルを接合する場合、接合部近傍に画素が存在しない継目が生ずる。継目の領域は、表示パネルの画素ピッチよりも広い間隔において画素が形成されていない領域である。表示パネルを接合させた大型画面において、表示パネル間の継目は、例えば直線状の黒い帯として観察者に認識されてしまう。従って、画像に継目が存在することから、画像の品質が低くなってしまうという問題がある。
【０００５】
表示パネルどうしの継目を目立たなくするために、例えば、継目の領域にレンズ、プリズム等を設け、画素からの光の補正を行う方法がある。しかし、表示領域の画素のピッチと比較して継目の領域が大きいため、かかる光学補正によっても、継目が観察者に認識されることを十分に防ぐことは困難である。継目が認識されることを防ぐためには、画素が形成されている表示領域の全体に、継目とピッチを同一にした非表示領域を設ける方法もある。しかし、表示領域の全体に非表示領域を設けると、表示領域の画素のピッチが大きくなるため、高精細な画像を得ることが困難となる。
【０００６】
本発明は、上述の問題点を解決するためになされたものであり、複数の表示パネルを接合して形成された大型画面において、表示パネルどうしの継目が観察者に認識されることを低減し、高品質な画像を得られる画像表示装置を提供することを目的とする。
【０００７】
【課題を解決するための手段】
上記課題を解決し、目的を達成するために、本発明によれば、少なくとも２つの表示パネルを配列して画像を表示する画像表示装置において、前記表示パネルは、複数の画素を有する画像表示部を有し、隣接している前記表示パネルどうしは、それぞれの前記表示パネルの周辺部のみを重ね合わせて配置されていることを特徴とする画像表示装置を提供することができる。
【０００８】
表示パネルは、周辺部に、画素が形成されていない非表示領域を有する。表示パネルを平面的に接合する場合、隣接している表示パネルどうしの非表示領域の面積が合計されるため、画素ピッチより広い間隔の継目領域が生じてしまう。そこで、表示パネルの周辺部のみを重ね合わせるように表示パネルを立体的に配置する。このとき、観察者から遠い側の表示パネルの周辺部は、観察者から近い側の表示パネルの周辺部によって覆われる。このため、観察者側からは、表示パネルどうしの間に、一方の表示パネルの非表示領域のみが目視されることとなる。従って、表示パネルを平面的に配列する場合と比較して、非表示領域である継目領域の間隔を小さくすることができる。これにより、表示パネルの継目が認識されることを低減し、高品質な画像を得られる。
【０００９】
また、本発明の好ましい態様としては、前記周辺部は、前記画素が形成されていない非表示部であることが望ましい。表示パネルどうしが重ね合わされている周辺部を非表示部とすることにより、観察者側からは、表示パネルの非表示部の間隔がより狭いものとして目視されることとなる。また、表示パネルは、非表示部のみを重ね合わせて配置されるため、観察者から遠い側の表示パネルの画像表示部が、観察者から近い側の表示パネルによって覆われることがない。これにより、表示パネルの継目が認識されることを低減し、高品質な画像を得られる。
【００１０】
また、本発明の好ましい態様としては、隣接している前記表示パネルのうち、観察者から遠い側の前記表示パネルは、さらに、前記画素からの光を射出させる面に硝子基板を有することが望ましい。さらに、前記硝子基板は、所定の屈折率を有する硝子基板からなることが望ましい。周辺部を重ね合わせて表示パネルを配置すると、観察者から近い側の表示パネルの射出面を基準とする厚さ（奥行き）方向における見かけ上の画素までの距離（以下、「見かけ上の距離」という。）と、観察者から遠い側の表示パネルの見かけ上の距離とが異なる。そこで、観察者から遠い側の表示パネルに高屈折率の硝子からなる部材を設けることにより、観察者から遠い側の表示パネルからの光を、屈折作用により屈折させる。観察者から遠い側の表示パネルからの光を屈折作用によって屈折させることにより、観察者から近い側の表示パネルの見かけ上の距離と、観察者から遠い側の表示パネルの見かけ上の距離との差（以下、「見かけ上の距離差」という。）を低減することができる。これにより、見かけ上の距離差による違和感が低減された高品質な画像を得られる。
【００１１】
また、本発明の好ましい態様としては、前記非表示部は、光学的に透明な部材からなることが望ましい。非表示部を光学的に透明な部材とすることにより、画素から非表示部に入射した光を、非表示部で遮光することなく透過させることができる。このため、表示パネルの継目が認識されることを低減できる。また、斜め方向から非表示部に入射した光もそのまま非表示部を透過するため、画像表示装置を斜め方向から目視した場合であっても、表示パネルの継目が認識されることを低減できる。これにより、違和感がなく高品質な画像を得られる。
【００１２】
また、本発明の好ましい態様としては、前記表示パネルは、さらに、隣接している前記表示パネルどうしを重ね合わせた領域の近傍に、前記画素からの光の光路を補正する光学補正部を有することが望ましい。表示パネルに光学補正部を設けることにより、表示パネルの継目が認識されることを低減できる。これにより、高品質な画像を得られる。
【００１３】
また、本発明の好ましい態様としては、前記画素は、所定の間隔で配置され、前記周辺部は、前記非表示部と、前記非表示部に隣接する前記画素とからなり、隣接している前記表示パネルのうち一の前記表示パネルにおいて前記非表示部と隣接して設けられている前記画素と、他の前記表示パネルにおいて前記非表示部と隣接して設けられている前記画素との間隔は、前記所定の間隔と略等しいことが望ましい。周辺部を非表示部と、非表示部に隣接する画素とからなるとし、周辺部のみが重なり合うように表示パネルを配置する。このとき、非表示部を光学的に透明な部材とすると、非表示部と重なり合っている画素からの光を透過させることができる。さらに、画像表示部の画素と、継目領域の画素との所定の間隔（ピッチ）を略同一とすることにより、表示パネルの継目が認識されることを低減できる。これにより、高品質な画像を得られる。
【００１４】
また、本発明の好ましい態様としては、３つ以上の前記表示パネルが、一方向のみに配列して設けられていることが望ましい。また、２つ以上の前記表示パネルが、それぞれ略直交する二方向に配列して設けられていることが望ましい。隣接し合う表示パネルどうしを上述のように重ね合わせることによって、表示パネルの継目が認識されることを低減できる。このため、上述のような表示パネルの配列を繰り返して３つ以上の表示パネルを一方向のみに配列することにより、容易に、高品質な画像の大型画面を得られる。また、上述のような表示パネルの配列を繰り返して２つ以上の表示パネルをそれぞれ略直交する二方向に配列することにより、容易に、高品質な画像の大型画面を得られる。
【００１５】
また、本発明の好ましい態様としては、前記表示パネルは、液晶表示パネルであって、前記液晶表示パネルへ照明光を供給する光源をさらに有することが望ましい。上述のように複数の液晶表示パネルを配列した場合、継目が認識されることを低減できる。これにより、高品質な画像を得られる。
【００１６】
また、本発明の好ましい態様としては、前記液晶表示パネルは、第１の硝子基板と、前記第１の硝子基板より薄い厚みを有する第２の硝子基板と、前記第１の硝子基板と前記第２の硝子基板との間に液晶層とを有し、少なくとも２つの前記液晶表示パネルは、それぞれ前記第２の硝子基板どうしを対向させて配列していることが望ましい。液晶表示パネルを、第１の硝子基板より薄い厚みを有する第２の硝子基板どうしを対向させて配列することにより、観察者からそれぞれの液晶表示パネルの液晶層までの厚さ（奥行き）方向の距離の差を低減することができる。これにより、それぞれの液晶表示パネルの見かけ上の距離差を低減し、違和感のない高品質な画像を得られる。
【００１７】
また、本発明の好ましい態様としては、前記表示パネルは、有機エレクトロルミネッセンス・パネル又は無機エレクトロルミネッセンス・パネルであることが望ましい。上述のように複数の有機又は無機ＥＬ表示パネルを配列することにより、継目が認識されることを低減できる。これにより、高品質な画像を得られる。
【００１８】
また、本発明の好ましい態様としては、隣接して設けられている前記表示パネルのうちの一の前記表示パネルは、第１の硝子基板と、前記第１の硝子基板より薄い厚みを有する第２の硝子基板と、前記第１の硝子基板と前記第２の硝子基板との間に設けられ、前記第２の硝子基板の方向へ光を射出させる画素とを有し、他の前記表示パネルは、第３の硝子基板と、前記第３の硝子基板より薄い厚みを有する第４の硝子基板と、前記第３の硝子基板と前記第４の硝子基板との間に設けられ、前記第３の硝子基板の方向へ光を射出させる画素とを有し、隣接して設けられている前記表示パネルは、前記第２の硝子基板と、前記第４の硝子基板とを対向させて配列していることが望ましい。表示パネルを、第１の硝子基板より薄い厚みを有する第２の硝子基板と、第３の硝子基板より薄い厚みを有する第４の硝子基板とを対向させて配列することにより、観察者からそれぞれの表示パネルの画素までの厚さ（奥行き）方向の距離の差を低減することができる。これにより、それぞれの表示パネルの見かけ上の距離差を低減し、違和感のない高品質な画像を得られる。
【００１９】
【発明の実施の形態】
以下に図面を参照して、本発明の実施形態を詳細に説明する。
（第１実施形態）
図１は、第１実施形態に係る画像表示装置１００を斜め方向から見た概略構成を示す。画像表示装置１００は、５つの平面状の表示パネル１０１ａ、１０１ｂ、１０１ｃ、１０１ｄ、１０１ｅを、図１に示すｙ方向に配列している。表示パネル１０１ａ、１０１ｂ、１０１ｃ、１０１ｄ、１０１ｅは、有機ＥＬパネルである。図２（ａ）は、画像表示装置１００を観察者側（ｚ軸方向に沿った方向）から目視した構成を示す。表示パネル１０１ａ、１０１ｂ、１０１ｃ、１０１ｄ、１０１ｅは、ｘｙ平面上に、画像表示部２２０と、周辺部２１０とを有する。周辺部２１０は、画像表示部２２０の周囲を取り囲むように設けられている。また、図２（ｂ）は、画像表示装置１００の側面から目視した構成を示す。隣接している表示パネルどうしは、それぞれの表示パネルの周辺部２１０のみを重ね合わせて配置されている。
【００２０】
図３は、ｙｚ方向の断面における画像表示装置１００の概略構成を示す。以下、画像表示装置１００の表示パネル１０１ｂ、１０１ｃの構成を代表例として本実施形態の説明を行うものとし、他の表示パネル１０１ａ、１０１ｄ、１０１ｅについての重複する図示と説明とを省略する。表示パネル１０１ｂ、１０１ｃは、それぞれの周辺部２１０に、画素が形成されていない非表示部３１０を有する。また、表示パネル１０１ｂ、１０１ｃは、それぞれの画像表示部２２０に、複数の画素３０５を有する。
【００２１】
画素３０５は、第２の硝子基板３０２上に所定の間隔で略直交する格子状に形成されている。第２の硝子基板３０２上には、不図示の薄膜トランジスタ（以下適宜、ＴＦＴ（Ｔｈｉｎ  Ｆｉｌｍ  Ｔｒａｎｓｉｓｔｏｒ）という）、画素電極、対向電極、保護層等からなるＥＬ発光層が形成されている。図３において、ＥＬ発光層のうち、画素電極と対向電極との交点領域を、画素３０５として示している。画素３０５は、画像信号に応じて変調された、例えば蛍光を発生する。また、第２の硝子基板３０２上には、画素３０５を封止するように、硝子部材からなる第１の硝子基板３０３が光学的接着剤で接合されている。表示パネル１０１ｂ、１０１ｃを重ね合わせている周辺部２１０は、非表示部３１０のみからなる。また、表示パネル１０１ｂと、表示パネル１０１ｃとの継目領域とは、非表示部３１０が重ね合わされている周辺部２１０の領域である。
【００２２】
従来の画像表示装置のように表示パネルを平面的に接合する場合、隣接している表示パネルどうしの非表示領域の面積が合計されるため、画素ピッチより広い間隔の継目領域が生じてしまう。そこで、画像表示装置１００は、表示パネル１０１ｂ、１０１ｃの非表示部３１０のみを重ね合わせるように表示パネル１０１ｂ、１０１ｃを立体的に接合して配置する。このとき、表示パネル１０１ｂ、１０１ｃのうち観察者から遠い側の表示パネル１０１ｂの非表示部３１０は、観察者から近い側の表示パネル１０１ｃの非表示部３１０によって覆われる。このため、観察者は、表示パネル１０１ｂと表示パネル１０１ｃとの間の継目領域が、表示パネル１０１ｃの非表示部３１０のみであると認識することとなる。従って、表示パネルを平面的に配列する場合と比較して、表示パネル１０１ｂ、１０１ｃの継目領域を小さくすることができる。
【００２３】
また、表示パネル１０１ｂ、１０１ｃの周辺部２１０を非表示部３１０とすることにより、表示パネル１０１ｂ、１０１ｃは、非表示部３１０のみを重ね合わせて配置されている。このため、表示パネル１０１ｂ、１０１ｃのうち観察者から遠い側の表示パネル１０１ｂの画像表示部２２０が、観察者から近い側の表示パネル１０１ｃの非表示部３１０によって覆われることがない。これにより、表示パネル１０１ｂ、１０１ｃの継目が認識されることを低減し、高品質な画像を得られるという効果を奏する。表示パネル１０１ａ、１０１ｄ、１０１ｅについても、表示パネル１０１ｂ、１０１ｃと同様にして配置することによって、画像表示装置１００全体について継目が認識されることを低減することができる。さらに、上述の配列を繰り返して表示パネルを一方向のみに配列することにより、容易に、高品質な画像の大型画面を得られるという効果を奏する。なお、本実施形態の画像表示装置１００の表示パネル１０１ａ、１０１ｂ、１０１ｃ、１０１ｄ、１０１ｅとして有機ＥＬ表示パネルを用いているが、これに限られず、無機ＥＬ表示パネルや、液晶表示パネルを用いても良い。
【００２４】
（第２実施形態）
図４は、本発明の第２実施形態に係る画像表示装置４００の、ｙｚ方向の断面における概略構成を示す。上記第１実施形態と同一の部分には同一の符号を付し、重複する説明は省略する。本実施形態の画像表示装置４００は、隣接している表示パネルのうち、観察者から遠い側の表示パネルに、硝子基板４３０を有することを特徴とする。例えば、図４に示すように、隣接している表示パネル１０１ｂ、１０１ｃのうち観察者から遠い側の表示パネル１０１ｂの、画素３０５からの光を射出させる面に、硝子基板４３０を設ける。硝子基板４３０は、所定の屈折率を有する硝子、例えば、高屈折率の硝子からなる部材である。表示パネル１０１ｂと同様に、観察者から遠い側の表示パネル１０１ｄは、画素３０５からの光を射出させる面に硝子基板４３０を有している。
【００２５】
第１実施形態の画像表示装置１００について説明したように、表示パネル１０１ｂ、１０１ｃは、非表示部３１０のみが重なり合うように配置されている。周辺部２１０を重ね合わせて表示パネル１０１ｂ、１０１ｃを配置すると、観察者から近い側の表示パネル１０１ｃの見かけ上の距離と、観察者から遠い側の表示パネル１０１ｂの見かけ上の距離とが異なる。見かけ上の距離差を発生すると、画像に違和感を生じさせる原因となり得る。そこで、表示パネル１０１ｂに硝子基板４３０を設け、表示パネル１０１ｂの画素３０５からの光を屈折作用により屈折させる。表示パネル１０１ｂからの光を屈折作用によって屈折させることにより、観察者から近い側の表示パネル１０１ｃと、観察者から遠い側の表示パネル１０１ｂとの見かけ上の距離差を低減することができる。これにより、見かけ上の距離差による違和感が低減された高品質な画像を得られるという効果を奏する。なお、硝子基板４３０の屈折率と見かけ上の距離差との関係の詳細については、図９を用いて後述する。
【００２６】
（第３実施形態）
図５は、本発明の第３実施形態に係る画像表示装置６００の、ｙｚ方向の断面における概略構成を示す。上記第１実施形態と同一の部分には同一の符号を付し、重複する説明は省略する。本実施形態の画像表示装置６００は、非表示部６１０が光学的に透明な部材からなることを特徴とする。例えば、硝子基板４３０の屈折率と、第１の硝子基板３０３の屈折率とは、略同一とすることができる。また、硝子基板４３０の屈折率と、第２の硝子基板３０３の屈折率とは、異ならせることとしても良い。
【００２７】
非表示部６１０を光学的に透明な部材とすることにより、画素３０５から非表示部６１０に入射した光を、非表示部６１０で遮光せず透過させることができる。このため、表示パネル１０１ａ〜１０１ｅの継目が認識されることを低減できる。また、斜め方向から非表示部６１０に入射した光はそのまま非表示部６１０を透過する。このため、画像表示装置６００を斜め方向から目視した場合であっても、表示パネル１０１ａ〜１０１ｅの継目が認識されることを低減できる。これにより、違和感がなく高品質な画像を得られるという効果を奏する。なお、非表示部６１０の透明部材の屈折率と、第１の硝子基板３０３の屈折率とを略同一とすることによって、より違和感のない画像を得られる。
【００２８】
（第４実施形態）
図６は、本発明の第４実施形態に係る画像表示装置７００の、ｙｚ方向の断面における概略構成を示す。上記第１実施形態と同一の部分には同一の符号を付し、重複する説明は省略する。本実施形態の画像表示装置７００は、光学補正部であるレンズ７５０を有することを特徴とする。レンズ７５０は、継目領域近傍の画素３０５からの光を観察者の方向に屈折することにより、光路を補正する。このため、観察者は、継目領域付近の画素３０５の大きさを、例えば、１．５倍に拡大して認識する。これにより、表示パネル１０１ａ〜１０１ｅの継目を目立たなくすることができる。例えば、観察者が画像表示装置７００の画面を、正面に対して±２０°の角度から目視した場合に、表示パネル１０１ａ〜１０１ｅの継目が確認されないようにできる。これにより、表示パネル１０１ａ〜１０１ｅの継目が認識されることを低減し、高品質な画像を得られるという効果を奏する。
【００２９】
また、第１実施形態の画像表示装置１００について説明したように、表示パネル１０１ａ〜１０１ｅは、非表示部３１０のみが重なり合うように配置されているため、継目領域を小さくすることができる。このため、継目領域近傍の画素３０５からの光を観察者の方向に変化させる補正を容易に行うことができる。なお、本実施形態において光学補正部としてレンズ７５０を用いているが、これに限られない。傾斜プリズム、拡散層、ファイバー等、入射光の光路を変化させることができるものであれば、光学補正部として用いることができる。
【００３０】
（第５実施形態）
図７は、本発明の第５実施形態に係る画像表示装置８００の、ｙｚ方向の断面における概略構成を示す。上記第１実施形態と同一の部分には同一の符号を付し、重複する説明は省略する。本実施形態の画像表示装置８００は、周辺部８１０にも画素３０５を有し、かつ、画像表示部８２０と、周辺部８１０とに設けられている画素３０５どうしの間隔Ｐがいずれも略同一であることを特徴とする。例えば、図７に示すように、表示パネル１０１ｂと、表示パネル１０１ｃとが重なり合う周辺部８１０は、非表示部６１０に隣接する画素３０５と、非表示部６１０とからなる。非表示部６１０は、光学的に透明な部材からなる。表示パネル１０１ｂ、１０１ｃの画素３０５は、所定の間隔Ｐとなるように配置されている。このとき、表示パネル１０１ｂにおいて非表示部６１０と隣接して設けられている画素３０５と、表示パネル１０１ｃにおいて非表示部６１０と隣接して設けられている画素３０５との間隔Ｐは、画像表示部８２０の画素３０５どうしの間隔Ｐと略同一である。
【００３１】
観察者から近い側の表示パネル１０１ｃの非表示部６１０を光学的に透明な部材で構成する。表示パネル１０１ｃの非表示部６１０が透明であると、表示パネル１０１ｂの画素３０５からの光を、表示パネル１０１ｃの非表示部６１０で遮光せず透過させることができる。このため、観察者は、画像表示部８２０と、継目領域とにおいて、画素３０５の間隔Ｐが略同一であると認識する。また、斜め方向から表示パネル１０１ｃの非表示部６１０に入射した光は、そのまま非表示部６１０を透過する。このため、画像表示装置８００を斜め方向から目視した場合であっても、表示パネル１０１ｂと表示パネル１０１ｃの継目を目立たなくすることができる。表示パネル１０１ａ〜１０１ｅについて、表示パネル１０１ｂ、１０１ｃと同様の構成とすることにより、観察者に継目が認識されることを低減できる。これにより、高品質な画像を得られるという効果を奏する。また、本実施形態の構成によれば、上述の光学補正部を用いることなく、継目を目立たなくすることができる。なお、観察者から遠い側の表示パネル１０１ｂ、１０１ｄの非表示部６１０には、画素３０５からの光が入射されない。このため、表示パネル１０１ｂ、１０１ｄの非表示部６１０は、必ずしも光学的に透明な部材とする必要はなく、不透明な部材としても良い。
【００３２】
（第６実施形態）
図８は、本発明の第６実施形態に係る画像表示装置９００の、ｙｚ方向の断面における概略構成を示す。上記第１実施形態と同一の部分には同一の符号を付し、重複する説明は省略する。本実施形態の画像表示装置９００は、隣接する表示パネルを、硝子基板９０２を対向させて配列していることを特徴とする。例えば、隣接して設けられている表示パネル１０１ｂ、１０１ｃのうち、表示パネル１０１ｂは、厚さｄ１の第１の硝子基板３０３と、第１の硝子基板３０３より薄い厚さｄ２の第２の硝子基板９０２とを有する。表示パネル１０１ｂは、第１の硝子基板３０３と、第２の硝子基板９０２との間に、画素３０５を有する。表示パネル１０１の画素３０５は、第２の硝子基板９０２の方向へ光を射出させる（トップエミッション方式）。また、表示パネル１０１ｃは、厚さｄ３の第３の硝子基板３０３と、第３の硝子基板３０３より薄い厚さｄ４の第４の硝子基板９０２とを有する。表示パネル１０１ｃは、第３の硝子基板３０３と、第４の硝子基板９０２との間に、画素３０５を有する。表示パネル１０１ｃの画素３０５は、第３の硝子基板３０３の方向へ光を射出させる（ボトムエミッション方式）。表示パネル１０１ｂと、表示パネル１０１ｃとは、第２の硝子基板９０２と、第４の硝子基板９０２とを対向させて配列している。
【００３３】
表示パネル１０１ｂと、表示パネル１０１ｃとは、それぞれ薄型の硝子基板９０２を対向させて配列する。このため、表示パネル１０１ｂの画素３０５から観察者までの距離と、表示パネル１０１ｃの画素３０５から観察者までの距離との差を低減することができる。そして、それぞれの表示パネル１０１ｂ、１０１ｃの画素３０５から観察者までの距離の差を低減することにより、表示パネル１０１ｂと、表示パネル１０１ｃとの見かけ上の距離差を低減することができる。表示パネル１０１ａ〜１０１ｅについて表示パネル１０１ｂ、１０１ｃと同様の配列とすることにより、それぞれの表示パネル１０１ａ〜１０１ｅの見かけ上の距離差を低減し、違和感のない画像を得られるという効果を奏する。なお、観察者から遠い側にある表示パネル１０１ｂ、１０１ｄは、画素３０５からの光を射出させる面に、上述の硝子基板４３０を有することとしても良い。好ましくは、硝子基板４３０は、高屈折率の硝子からなる部材であることが望ましい。これにより、さらに見かけ上の距離差を低減することができる。
【００３４】
表示パネル１０１ｂと、表示パネル１０１ｃとを代表例として、硝子基板４３０を設けることによる見かけ上の距離差の低減について説明する。図９は、第１の硝子基板３０３、第２の硝子基板９０２、第３の硝子基板３０３、第４の硝子基板９０２の屈折率をいずれも１．５４とし、硝子基板４３０の屈折率をパラメータとして変化させることによる見かけ上の距離差の変化を表したものである。図９に示す縦軸は距離を示し、左側の目盛りは見かけ上の距離、即ち、図８の射出面４３０ａ又は射出面３０３ａから見かけ上の画素３０５までの距離を示す。また、横軸は、硝子基板４３０の屈折率を示す。図８に示す第１の硝子基板３０３の厚さｄ１と、第３の硝子基板３０３との厚さｄ３とを、それぞれ０．５ｍｍとする。また、第２の硝子基板９０２の厚さｄ２と、第４の硝子基板９０２の厚さｄ４とを、それぞれ０．１ｍｍとする。
【００３５】
図９の曲線Ａは、表示パネル１０１ｃの見かけ上の距離を示す。表示パネル１０１ｃの見かけ上の距離は、約０．３２ｍｍで略一定である。曲線Ｂは、表示パネル１０１ｂの見かけ上の距離を示す。表示パネル１０１ｂの見かけ上の距離は、硝子基板４３０の屈折率を増大するに従って減少する。曲線Ｃは、観察者が目視する表示パネル１０１ｃと、表示パネル１０１ｂとの見かけ上の距離差を示す。表示パネル１０１ｃと、表示パネル１０１ｂとの見かけ上の距離差は、曲線Ｂで示す表示パネル１０１ｂの見かけ上の距離から、曲線Ａで示す表示パネル１０１ｃの見かけ上の距離を減じることによって表すことができる。縦軸の右側の目盛りは見かけ上の距離差を示す。表示パネル１０１ｃと、表示パネル１０１ｂとの見かけ上の距離差は、硝子基板４３０の屈折率を増大するに従い、減少する。このように、硝子基板４３０の屈折率を大きくするほど、観察者から近い側の表示パネル１０１ｃと、観察者から遠い側の表示パネル１０１ｂとの見かけ上の距離差を低減することができる。これにより、硝子基板４３０の屈折率を大きくするほど、画像の違和感を低減することができる。
【００３６】
（第７実施形態）
図１０は、本発明の第７実施形態に係る画像表示装置１０００を斜め方向から見た概略構成を示す。上記第１実施形態と同一の部分には同一の符号を付し、重複する説明は省略する。本実施形態の画像表示装置１０００は、４つの平面状の表示パネル１００１ａ、１００１ｂ、１００１ｃ、１００１ｄが、それぞれ略直交する二方向であるｘ方向とｙ方向とに配列して設けられていることを特徴とする。図１１（ａ）は、画像表示装置１０００を観察者側から目視した構成を示す。また、図１１（ｂ）は、画像表示装置１０００を側面から目視した構成を示す。画像表示装置１０００を観察者側から目視する場合、表示パネル１００１ａ〜１００１ｄのうち最も観察者から近いのは、表示パネル１００１ｂである。表示パネル１００１ｃは、表示パネル１００１ｂと、互いの一隅どうしを重ね合わせて配置されている。表示パネル１００１ｃの下には、表示パネル１００１ａと、表示パネル１００１ｄとが、表示パネル１００１ｃと周辺部のみを重ね合わせるように配置されている。表示パネル１００１ａと、表示パネル１００１ｄとは、同一平面上に並べて配置されている。図１１（ｂ）に示すように、表示パネル１００１ａ〜１００１ｄは、観察者から見て３層に重ね合わせて配置されている。なお、図１１（ａ）に示すように、表示パネル１００１ａ〜１００１ｄは、いずれも略同一の大きさとする場合に限られない。それぞれ異なる大きさの表示パネル１００１ａ〜１００１ｄを配列し、観察者から見て画像表示装置１０００が単一の略長方形となるようにしても良い。
【００３７】
隣接している表示パネルどうしは、第１〜第６実施形態の画像表示装置と同様の構成として配置することにより、表示パネル１００１ａ〜１００１ｄの継目が認識されることを低減できるという効果を奏する。また、上述のような表示パネルの配列を繰り返して２つ以上の表示パネルをそれぞれ略直交する二方向に配列することにより、容易に、高品質な画像の大型画面を得られる。なお、本実施形態の画像表示装置１０００も、上記実施形態の画像表示装置と同様、硝子基板４３０を設けることにより、見かけ上の距離差を低減できる。例えば、表示パネル１００１ｃ、１００１ａ、１００１ｄの観察者側の面に、硝子基板４３０を設けることができる。このとき、表示パネル１００１ａと、表示パネル１００１ｄとには、表示パネル１００１ｃに設ける硝子基板４３０より、高屈折率の硝子基板４３０を設けるのが好ましい。このように、観察者からより遠い側の表示パネル１００１ａ、１００１ｄの硝子基板４３０をより高屈折率とすることにより、有効に見かけ上の距離差を低減することができる。
【００３８】
（第８実施形態）
図１２は、本発明の第８実施形態に係る画像表示装置１２００の、ｙｚ方向の断面における概略構成を示す。上記第１実施形態と同一の部分には同一の符号を付し、重複する説明は省略する。本実施形態の画像表示装置１２００は、表示パネルとして液晶表示パネルを用いている。本実施形態においても、上記第１実施形態と同様に、表示パネル１２０１ａ〜１２０１ｄを光学的接着剤で接合する。
【００３９】
画像表示装置１２００は、光源部１２０８を有する。光源部１２０８は、液晶表示パネル１２０１ａ〜１２０１ｄに照明光を供給する。液晶表示パネル１２０１ａ〜１２０１ｄは、第１の硝子基板３０３と、第１の硝子基板３０３より薄い厚みの第２の硝子基板１２０２とを有する。画素１２０５は、所定の間隔（ピッチ）で設けられている。第２の硝子基板１２０２上には、ＴＦＴ、画素電極（ＩＴＯ）、および液晶を配向するための配向膜等が形成されている。また、第２の硝子基板１２０２に対向する第１の硝子基板３０３で、画素１２０５を封止する。第１の硝子基板３０３上には、対向電極が形成されている。第２の硝子基板１２０２と第１の硝子基板３０３との間には、不図示の液晶層が封入されている。そして、画素電極と対向電極との交点領域を画素１２０５として図示している。画素１２０５は、画像信号に応じて、光源部１２０８からの光を変調して射出する。
【００４０】
また、画素１２０５の間には、光源部１２０８からの光を遮光する遮光部１２０６が形成されている。さらに、接合した表示パネル１２０１ａ〜１２０１ｄの、光源部１２０８の側の面には、不図示の第１の偏光膜が設けられている。接合した表示パネル１２０１ａ〜１２０１ｄの光源部１２０８とは反対側の面には、不図示の第２の偏光膜が設けられている。第１の偏光膜と、第２の偏光膜とは、いわゆるクロスニコルの状態に設定されている。なお、光源部１２０８は、各画素１２０５に対応して設ける構成とせず、複数の画素１２０５に対して１つの光源部１２０８を設けることとしても良い。
【００４１】
図１２に示すように、液晶表示パネル１２０１ｂと、液晶表示パネル１２０１ｃとは、それぞれ第２の硝子基板１２０２どうしを対向させて配列している。このように、それぞれ薄型の第２の硝子基板１２０２どうしを対向させて配列することにより、観察者からそれぞれの液晶表示パネル１２０１ｂ、１２０１ｃの画素１２０５までの距離の差を低減することができる。これと同様にして、液晶表示パネル１２０１ａ〜１２０１ｄのうち隣接している液晶表示パネルの、第２の硝子基板１２０２どうしを対向させて配列する。これにより、それぞれの液晶表示パネル１２０１ａ〜１２０１ｄの見かけ上の距離差を低減することができるという効果を奏する。また、観察者から遠い側の液晶表示パネル１２０１ｂ、１２０１ｄは、画素１２０５からの光が射出される側の面に、硝子基板４３０を設けることとしても良い。これにより、さらに見かけ上の距離差を低減することができる。
【００４２】
なお、上記実施形態では、有機又は無機のＥＬ表示パネル、及び液晶表示パネルを用いる例について説明したが、本発明はこれに限られること無く、複数の平面表示パネルを配列して大型の画面を形成する、いわゆるタイリング型のすべての画像表示装置に対して適用することができる。
【図面の簡単な説明】
【図１】本発明の第１実施形態に係る画像表示装置の斜視図。
【図２】第１実施形態の画像表示装置の上面図と側面図。
【図３】第１実施形態に係る画像表示装置の特徴部分の説明図。
【図４】第２実施形態に係る画像表示装置の特徴部分の説明図。
【図５】第３実施形態に係る画像表示装置の特徴部分の説明図。
【図６】第４実施形態に係る画像表示装置の特徴部分の説明図。
【図７】第５実施形態に係る画像表示装置の特徴部分の説明図。
【図８】第６実施形態に係る画像表示装置の特徴部分の説明図。
【図９】硝子基板による見かけ上の距離差の低減についての説明図。
【図１０】本発明の第７実施形態に係る画像表示装置の斜視図。
【図１１】第７実施形態の画像表示装置の上面図と側面図。
【図１２】第８実施形態に係る画像表示装置の特徴部分の説明図。
【符号の説明】
１００  画像表示装置、１０１ａ、１０１ｂ、１０１ｃ、１０１ｄ、１０１ｅ  表示パネル、２１０  周辺部、２２０  画像表示部、３０２  第２の硝子基板、３０３  第１の硝子基板、３０３ａ  射出面、３０５  画素、３１０  非表示部、４００  画像表示装置、４３０  硝子基板、４３０ａ  射出面、６００  画像表示装置、６１０  非表示部、７００  画像表示装置、７５０  レンズ、８００画像表示装置、８１０  周辺部、８２０  画像表示部、９００  画像表示装置、９０２  第２の硝子基板、１０００  画像表示装置、１００１ａ、１００１ｂ、１００１ｃ、１００１ｄ  表示パネル、１２００  画像表示装置、１２０１ａ、１２０１ｂ、１２０１ｃ、１２０１ｄ  液晶表示パネル、１２０２  第２の硝子基板、１２０５  画素、１２０６  遮光部、１２０８  光源部、Ｐ  間隔、ｄ１、ｄ２、ｄ３、ｄ４  厚さ
【図１】
2005017738.tif 000003
【図２】
2005017738.tif 000004
【図３】
2005017738.tif 000005
【図４】
2005017738.tif 000006
【図５】
2005017738.tif 000007
【図６】
2005017738.tif 000008
【図７】
2005017738.tif 000009
【図８】
2005017738.tif 000010
【図９】
2005017738.tif 000011
【図１０】
2005017738.tif 000012
【図１１】
2005017738.tif 000013
【図１２】
2005017738.tif 000014